(57)【特許請求の範囲】
【請求項１】
光を透過する材料で形成されたトッププレートと、
前記トッププレートの下方に設けられ、交流磁界を発生して、前記トッププレート上に載置された被加熱物を誘導加熱する複数の加熱コイルと、
前記加熱コイルに高周波電流を供給するインバータ回路と、
前記インバータ回路を制御する制御部と、
被加熱物の加熱制御に関する指令の入力操作を行うための操作部と、
前記加熱コイルの外周近傍に設けられた複数の発光部と、を備え、
前記制御部は、前記操作部からの入力に基づいて、前記インバータ回路の出力を制御する加熱制御部と、
前記発光部の発光を制御する発光制御部と、を備え、
前記制御部は、
１つの被加熱物を１つの前記加熱コイルによって加熱を開始する前記指令が前記操作部から入力されたときには、加熱を開始する前記加熱コイルの外周近傍に設けられた前記発光部のみを点灯させ、
１つの被加熱物を中心が異なる位置にありかつ隣り合う２つ以上の加熱コイルによって加熱する指令が前記操作部から入力されたときには、加熱を開始する前記加熱コイルそれぞれの外周近傍に設けられた前記発光部のうち、加熱を開始する前記加熱コイルの間に配置された前記発光部を消灯させ、消灯した前記発光部以外の前記発光部を点灯させることを特徴とする誘導加熱調理器。
【請求項２】
前記発光部の各々は、２色の発光素子を含み、
前記制御部は、
前記操作部から本体の電源が投入されたときには、すべての前記発光部を第１の色で点灯させ、
１つの被加熱物を１つの加熱コイルによって加熱する指令が前記操作部から入力されたときには、加熱を開始する前記加熱コイルの外周近傍に設けられた前記発光部を第２の色で点灯させ、
１つの被加熱物を中心が異なる位置にありかつ隣り合う２つ以上の前記加熱コイルによって加熱する指令が前記操作部から入力されたときには、加熱を開始する前記加熱コイルそれぞれの外周近傍に設けられた前記発光部のうち、加熱を開始する前記加熱コイルの間に配置された前記発光部を消灯させ、消灯した前記発光部以外の前記発光部を第２の色で点灯させ、
前記操作部から本体の電源が切られたときには、すべての前記発光部を消灯させることを特徴とする請求項１に記載の誘導加熱調理器。
【請求項３】
各加熱コイル上に被加熱物が載置されているか否かを判定する負荷判定部をさらに備え、
１つの被加熱物を中心が異なる位置にありかつ隣り合う２つ以上の前記加熱コイルによって加熱する指令が前記操作部から入力されたときに、前記負荷判定部が、加熱を開始する加熱コイルのうち１つでも上方に被加熱物が載置されていない前記加熱コイルがあると判定した場合は、
前記制御部は、
加熱を開始する前記加熱コイルそれぞれの外周近傍に設けられた発光部のうち、加熱を開始する前記加熱コイルの間に配置された発光部を消灯させ、消灯した発光部以外の発光部を点滅させると共に、
加熱を開始するように指令を受けた前記加熱コイルに通電しないように前記インバータ回路を制御することを特徴とする請求項１に記載の誘導加熱調理器。
【請求項４】
各加熱コイル上に被加熱物が載置されているか否かを判定する負荷判定部をさらに備え、
１つの被加熱物を中心が異なる位置にありかつ隣り合う２つ以上の加熱コイルによって加熱する指令が前記操作部から入力されたときに、前記負荷判定部が、加熱を開始する前記加熱コイルのうち１つでも上方に被加熱物が載置されていない前記加熱コイルがあると判定した場合は、
前記制御部は、
加熱を開始する前記加熱コイルそれぞれの外周近傍に設けられた発光部のうち、加熱を開始する前記加熱コイルの間に配置された前記発光部を消灯させ、消灯した前記発光部以外であって被加熱物が載置されている側の前記発光部を点灯させ、消灯した前記発光部以外であって被加熱物が載置されていない側の前記発光部を点滅させると共に、
加熱を開始するように指令を受けた前記加熱コイルであって、被加熱物が載置されていない前記加熱コイルに通電しないように前記インバータ回路を制御することを特徴とする請求項１に記載の誘導加熱調理器。
【請求項５】
光を透過する材料で形成されたトッププレートと、
前記トッププレートの下方に設けられ、交流磁界を発生して、前記トッププレート上に載置された被加熱物を誘導加熱する複数の加熱コイルと、
前記インバータ回路を制御する制御部と、
前記加熱コイルに高周波電流を供給するインバータ回路と、
被加熱物の加熱制御に関する指令の入力操作を行うための操作部と、
前記加熱コイルの外周近傍に設けられた複数の発光部と、を備え、
前記制御部は、前記操作部からの入力に基づいて、前記インバータ回路の出力を制御する加熱制御部と、
前記発光部の発光を制御する発光制御部と、を備え、
前記発光部の各々は、２色の発光素子を含み、
前記制御部は、
前記操作部から本体の電源が投入されたときには、すべての前記発光部を第１の色で点灯させ、
１つの被加熱物を１つの前記加熱コイルによって加熱を開始する前記指令が前記操作部から入力されたときには、加熱を開始する前記加熱コイルの外周近傍に設けられた前記発光部のみを第２の色で点灯させ、
１つの被加熱物を中心が異なる位置にありかつ隣り合う２つ以上の前記加熱コイルによって加熱する指令が前記操作部から入力されたときには、加熱を開始する加熱コイルそれぞれの外周近傍に設けられた前記発光部のうち、加熱を開始する前記加熱コイルの間に配置された前記発光部を第１の色で点灯させ、第１の色で点灯した前記発光部以外の前記発光部を第２の色で点灯させ、
前記操作部から本体の電源が切られたときには、すべての発光部を消灯させることを特徴とする誘導加熱調理器。
【請求項６】
各加熱コイル上に被加熱物が載置されているか否かを判定する負荷判定部をさらに備え、
１つの被加熱物を中心が異なる位置にありかつ隣り合う２つ以上の加熱コイルによって加熱する指令が前記操作部から入力されたときに、前記負荷判定部が、加熱を開始する前記加熱コイルのうち１つでも上方に被加熱物が載置されていない前記加熱コイルがあると判定した場合は、
前記制御部は、
加熱を開始する前記加熱コイルそれぞれの外周近傍に設けられた前記発光部のうち、加熱を開始する前記加熱コイルの間に配置された前記発光部を第１の色で点灯させ、第１の色で点灯した前記発光部以外の前記発光部を第２の色で点滅させると共に、
加熱を開始するように指令を受けた前記加熱コイルに通電しないように前記インバータ回路を制御することを特徴とする請求項５に記載の誘導加熱調理器。
【請求項７】
各加熱コイル上に被加熱物が載置されているか否かを判定する負荷判定部をさらに備え、
１つの被加熱物を中心が異なる位置にありかつ隣り合う２つ以上の前記加熱コイルによって加熱する指令が前記操作部から入力されたときに、前記負荷判定部が、加熱を開始する加熱コイルのうち１つでも上方に被加熱物が載置されていない前記加熱コイルがあると判定した場合は、
前記制御部は、
加熱を開始する前記加熱コイルそれぞれの外周近傍に設けられた前記発光部のうち、加熱を開始する加熱コイルの間に配置された前記発光部を第１の色で点灯させ、第１の色で点灯した発光部以外であって被加熱物が載置されている側の発光部を第２の色で点灯させ、第１の色で点灯した発光部以外であって被加熱物が載置されていない側の発光部を第２の色で点滅させると共に、
加熱を開始するように指令を受けた前記加熱コイルであって、被加熱物が載置されていない前記加熱コイルに通電しないように前記インバータ回路を制御することを特徴とする請求項５に記載の誘導加熱調理器。
【発明の詳細な説明】
【技術分野】
【０００１】
本発明は、トッププレート上に被加熱物を載置する位置を表示した誘導加熱調理器に関する。
【背景技術】
【０００２】
鍋などの被加熱物を加熱コイルにより誘導加熱する誘導加熱調理器は、安全・清潔・高効率という優れた特徴が認知されて、近年広く普及している。特許文献１には、電源が投入されたとき、加熱コイルの外周近傍またはその一部を、表示手段により表示する誘導加熱調理器が開示されている。これにより、使用者は電源が投入されたか否かが分かると共に、被加熱物を載置する場所（加熱部）も明確に認識しやすくなるので、利便性がよい。
【０００３】
【特許文献１】特開２００１−２９７８６３号公報
【発明の開示】
【発明が解決しようとする課題】
【０００４】
特許文献１に記載の誘導加熱調理器では、加熱部と加熱コイルを１対１に対応させて、加熱コイルの外周近傍を表示手段により表示させている。このような構成では、２つの加熱部を結合させて使用する場合、例えば１つのオーバル鍋（楕円鍋）を２つの加熱コイル上に載置して加熱する場合は、２つの加熱部が別々に表示されてしまう。したがって、使用者は被加熱物をどこに載置したらよいか認識しにくいという問題があった。
【０００５】
本発明は、前記課題を解決するもので、複数の加熱部を結合させて使用する場合であっても、加熱部の位置を明確に表示できる誘導加熱調理器を提供することを目的とする。
【課題を解決するための手段】
【０００６】
本発明に係る誘導加熱調理器は、光を透過する材料で形成されたトッププレートと、トッププレートの下方に設けられ、交流磁界を発生して、トッププレート上に載置された被加熱物を誘導加熱する複数の加熱コイルと、加熱コイルに高周波電流を供給するインバータ回路と、インバータ回路を制御する制御部と、被加熱物の加熱制御に関する指令の入力操作を行うための操作部と、加熱コイルの外周近傍に設けられた複数の発光部と、を備え、制御部は、操作部からの入力に基づいて、インバータ回路の出力を制御する加熱制御部と、発光部の発光を制御する発光制御部と、を備え、制御部は、１つの被加熱物を１つの加熱コイルによって加熱を開始する指令が操作部から入力されたときには、加熱を開始する加熱コイルの外周近傍に設けられた発光部のみを点灯させ、１つの被加熱物を中心が異なる位置にありかつ隣り合う２つ以上の加熱コイルによって加熱する指令が操作部から入力されたときには、加熱を開始する加熱コイルそれぞれの外周近傍に設けられた発光部のうち、加熱を開始する加熱コイルの間に配置された発光部を消灯させ、消灯した発光部以外の発光部を点灯させることを特徴とする。
【０００７】
本発明に係る誘導加熱調理器は、光を透過する材料で形成されたトッププレートと、トッププレートの下方に設けられ、交流磁界を発生して、トッププレート上に載置された被加熱物を誘導加熱する複数の加熱コイルと、インバータ回路を制御する制御部と、加熱コイルに高周波電流を供給するインバータ回路と、被加熱物の加熱制御に関する指令の入力操作を行うための操作部と、加熱コイルの外周近傍に設けられた複数の発光部と、を備え、制御部は、操作部からの入力に基づいて、インバータ回路の出力を制御する加熱制御部と、発光部の発光を制御する発光制御部と、を備え、発光部の各々は、２色の発光素子を含み、制御部は、操作部から本体の電源が投入されたときには、すべての発光部を第１の色で点灯させ、１つの被加熱物を１つの加熱コイルによって加熱を開始する指令が操作部から入力されたときには、加熱を開始する加熱コイルの外周近傍に設けられた発光部のみを第２の色で点灯させ、１つの被加熱物を中心が異なる位置にありかつ隣り合う２つ以上の加熱コイルによって加熱する指令が操作部から入力されたときには、加熱を開始する加熱コイルそれぞれの外周近傍に設けられた発光部のうち、加熱を開始する加熱コイルの間に配置された発光部を第１の色で点灯させ、第１の色で点灯した発光部以外の発光部を第２の色で点灯させ、操作部から本体の電源が切られたときには、すべての発光部を消灯させることを特徴とする。
【発明の効果】
【０００８】
本発明の誘導加熱調理器は、複数の加熱コイルによって１つの被加熱物を加熱する場合に、複数の加熱コイルの間に配置された発光部を点灯させず、複数の加熱コイルを合わせて１つの加熱コイルと考えた場合の１つの加熱コイルの外周近傍に設けられた発光部のみを点灯させる。このため、被加熱物を加熱する際に、複数の加熱部を結合させて使用する場合であっても、結合した加熱部が表示されるので、使用者は被加熱物をどこに載置したらよいか認識しやすくなる。
【発明を実施するための最良の形態】
【０００９】
以下に、本発明の実施形態について、図面を参照しながら説明する。なお、以下の各実施形態において、同じ構成要素については同じ番号を付している。
【００１０】
実施形態１
［誘導加熱調理器の構成］
図１に本発明の実施形態１による誘導加熱調理器の上面図を示す。本実施形態の誘導加熱調理器の上部に光を透過する結晶化セラミック製のトッププレート１を設け、トッププレート１の上面又は下面に、被加熱物を載置し、加熱する、第１の加熱部２、第２の加熱部３、第３の加熱部４、及び第４の加熱部５を設けている。各加熱部の領域は印刷により表示されている。図１においては示していないが、トッププレート１の下方であって、第１〜第４の加熱部２，３，４，５それぞれに対応する位置に加熱コイルを設ける。これらの複数の加熱コイルは中心が異なる位置にある。トッププレート１の手前側（使用者側）に、表示部６及び操作部７を設ける。操作部７は、電源のオン／オフを切り換える電源キー７ａと、加熱のオン／オフを切り換える加熱キー７ｂ，７ｃ，７ｄ，７ｅ，７ｆ，７ｇ，７ｈと、火力調整キー７ｉ，７ｊとを含む。表示部６は、７つの加熱キー７ｂ〜７ｈそれぞれに対応する７つの火力表示部を含む。火力表示部は、対応する加熱キーに印刷された加熱部の火力を数字で表示する。さらに、加熱部２，３，４，５の外周近傍に、発光部２１〜２４，３１〜３４，４１〜４４，５１〜５４を設ける。１つの加熱部に対して４つの発光部を設ける。
【００１１】
図２に本発明の実施形態１による誘導加熱調理器の構成を示す。図１では４つの加熱部２，３，４，５を図示したが、図２では説明の便宜上１つの加熱部２のみを図示する。本実施形態の誘導加熱調理器は、トッププレート１と、トッププレート１の下方に加熱部２に対応する位置に設けられ、誘導加熱により被加熱物８を加熱する加熱コイル９と、加熱コイル９の下方に、加熱コイル９に高周波電流を供給するインバータ回路１０と、表示部６と、操作部７と、を備える。さらに、本実施形態の誘導加熱調理器は、加熱コイル９の外周近傍に設けられた発光部２１、２４（発光部２２，２３は図示せず）と、誘導加熱調理器全体の制御を行う制御部１１と、を備える。制御部１１は、操作部７からの入力に基づいて、加熱コイル９に供給する高周波電流を制御するためにインバータ回路１０に制御信号を出力する加熱制御部１１ａ、及び操作部７からの入力に基づいて、発光部２１〜２４を発光させる発光制御部１１ｂを含む。
【００１２】
図３に発光部２１の構成を示す。基板１２上に１つの発光ダイオード（以下、ＬＥＤという。）１３を設け、ＬＥＤ１３から発光された光は導光筒１４内を通って導光筒１４上部で発光する。そして、この光はトッププレート１を介して、図１に示すようにトッププレート上に加熱部の外周近傍を表示する。
【００１３】
［誘導加熱調理器の動作］
本実施形態の誘導加熱調理器は、被加熱物を加熱する際に、動作させる加熱コイルの外周近傍に設けられた発光部を点灯させるが、複数の加熱コイルによって１つの被加熱物を加熱する場合には、複数の加熱コイルの間に配置された発光部を点灯させず、複数の加熱コイルを組み合わせてなる１つの加熱コイル（以下、「結合加熱コイル」という）の外周近傍に設けられた発光部のみを点灯させる。
【００１４】
図４に本発明の実施形態１の誘導加熱調理器による発光部の動作制御のフローチャートを示す。電源キー７ａがオフ状態のときには、発光制御部１１ｂはすべての発光部を消灯させている。使用者により電源キー７ａがオンされ、加熱キーがオンされると（Ｓ１０１でＹｅｓ）、発光制御部１１ｂは、使用者からの入力に基づいて、複数の加熱コイルによって１つの被加熱物を加熱するか否かを判断する（Ｓ１０２）。具体的には、発光制御部１１ｂは、加熱キー７ｂ，７ｅ，７ｈ（図１）のいずれか１つがオンされたときは、複数の加熱コイルによって１つの被加熱物を加熱すると判定し、加熱キー７ｃ，７ｄ，７ｆ，７ｇ（図１）のいずれか１つがオンされたときは、１つの加熱コイルによって１つの被加熱物を加熱すると判定する。発光制御部１１ｂが１つの加熱コイルによって１つの被加熱物を加熱すると判断すると（Ｓ１０２でＮｏ）、発光制御部１１ｂは加熱を開始する１つの加熱コイルの外周近傍に設けられた４つの発光部を点灯させる（Ｓ１０３）。具体例を図５に示す。図５は、加熱キー７ｆがオンされた場合の発光部の点灯例を示した図である。発光している部分を斜線で示す。加熱部２上に被加熱物８が載置され、発光制御部１１ｂは、加熱部２の外周近傍の発光部２１〜２４を点灯させる。
【００１５】
一方、発光制御部１１ｂが複数の加熱コイルによって１つの被加熱物を加熱すると判断すると（Ｓ１０２でＹｅｓ）、発光制御部１１ｂは加熱を開始する結合加熱コイルの外周近傍に設けられた４つの発光部を点灯させる（Ｓ１０４）。発光制御部１１ｂは、加熱を開始する複数の加熱コイルの間に配置された発光部を点灯させない。具体例を図６に示す。図６は、加熱キー７ｅがオンされた場合の発光部の点灯例を示した図である。発光している部分を斜線で示す。加熱部２，３上にオーバル形の被加熱物８が載置される。発光制御部１１ｂは、結合加熱コイル（加熱部２に対応する加熱コイルと加熱部３に対応する加熱コイルを組み合わせてなる加熱コイル）の外周近傍に設けられた発光部２１，２３，３２，３４のみを点灯させ、加熱部２に対応する加熱コイルと加熱部３に対応する加熱コイルの間に配置された発光部２２，２４，３１，３３を点灯させない。
【００１６】
加熱制御部１１ａは、使用者からの入力に基づいて、加熱コイルに高周波電流を供給するように制御する（Ｓ１０５）。その後、使用者により加熱キーがオフされると（Ｓ１０６でＹｅｓ）、発光制御部１１ｂは、加熱を終了する加熱コイルの発光部を消灯させる（Ｓ１０７）。加熱制御部１１ａは、加熱コイルへの高周波電流の供給を停止する（Ｓ１０８）。
【００１７】
本実施形態の誘導加熱調理器は、被加熱物を加熱する際に、動作させる加熱コイルの外周近傍に設けられた発光部を点灯させるが、複数の加熱コイルによって１つの被加熱物を加熱する場合には、複数の加熱コイルの間に配置された発光部を点灯させず、結合加熱コイルの外周近傍に設けられた発光部のみを点灯させる。これにより、被加熱物を加熱する際に、複数の加熱部を結合させて使用する場合であっても、結合した加熱部の外周が表示されるので、使用者は被加熱物をどこに載置したらよいか認識しやすくなる。また、使用者が間違って他の加熱キーをオンしてしまった場合でも、トッププレート上に加熱を開始する加熱部が正確に表示されるので、使用者は間違いに気付きやすい。
【００１８】
［変形例１］
なお、本実施形態においては、図１に示すように、１つの加熱コイルに対してその外周近傍に４つの発光部を設けている。さらに、図７に示すように、加熱コイル２，３の間に発光部６１，６２と、加熱コイル２，４の間に発光部６３，６４と、加熱コイル３，５の間に発光部６５，６６と、を設けてもよい。この場合、複数の加熱コイルによって１つの被加熱物を加熱するときは、発光制御部１１ｂは加熱を開始する結合加熱コイルの外周近傍に設けられた６つの発光部（発光部６１〜６６のうち２つの発光部を含む。）を点灯させる（図４のステップＳ１０５）。具体例を図８に示す。図８は、変形例１において加熱キー７ｅがオンされた場合の発光部の点灯例を示した図である。発光している部分を斜線で示す。加熱部２，３上にオーバル形の被加熱物８が載置される。発光制御部１１ｂは、結合加熱コイル（加熱部２に対応する加熱コイルと加熱部３に対応する加熱コイルを組み合わせてなる加熱コイル）の外周近傍に設けられた発光部２１，２３，３２，３４，６１，６２を点灯させ、加熱部２に対応する加熱コイルと加熱部３に対応する加熱コイルの間に配置された発光部２２，２４，３１，３３を点灯させない。これにより、複数の加熱部を結合させて使用する場合であっても、使用者はさらに正確に加熱部が認識しやすくなる。
【００１９】
［変形例２］
なお、本実施形態においては、図１に示すように１つの発光部の長さを加熱部の外周近傍の円周の１／８に設定したが、図９（ａ）に示すように１つの発光部の長さを円周の１／４にしてもよい。これにより、１つの加熱コイルの外周近傍に設けられた４つの発光部（例えば、発光部２１ａ，２２ａ，２３ａ，２４ａ）をすべて点灯すると、４つの発光部が繋がって見え、円周が表示される。具体例を図９（ｂ）に示す。図９（ｂ）は、変形例２において加熱キー７ｅがオンされた場合の発光部の点灯例を示した図である。発光している部分を斜線で示す。加熱部２，３上にオーバル形の被加熱物８が載置される。発光制御部１１ｂは、結合加熱コイル（加熱部２に対応する加熱コイルと加熱部３に対応する加熱コイルを組み合わせてなる加熱コイル）の外周近傍に設けられた発光部２１ａ，２３ａ，３２ａ，３４ａを点灯させ、加熱部２に対応する加熱コイルと加熱部３に対応する加熱コイルの間に配置された発光部２２ａ，２４ａ，３１ａ，３３ａを点灯させない。
【００２０】
実施形態２
［誘導加熱調理器の構成］
本実施形態では、加熱部の位置を２色で表示する誘導加熱調理器について説明する。本実施形態による誘導加熱調理器の構成において、図１及び図２は実施形態１と同じであるため説明を省略する。図１０に本発明の実施形態２による誘導加熱調理器の発光部２１の構成を示す。基板１２上に色の異なる２つの単色ＬＥＤ１３ａ，１３ｂを設け、各ＬＥＤ１３ａ，１３ｂから発光された光は導光筒１４内を通って導光筒１４上部で発光する。そして、この光はトッププレート１を介して、図１に示すようにトッププレート上に加熱部の外周近傍を表示する。本実施形態では、ＬＥＤ１３ａ，１３ｂの色は白と赤である。
【００２１】
［誘導加熱調理器の動作］
本実施形態の誘導加熱調理器は、電源が投入されるとすべての発光部を白で点灯させ、被加熱物を加熱する際に、動作させる加熱コイルの外周近傍に設けられた発光部を赤で点灯させるが、複数の加熱コイルによって１つの被加熱物を加熱する場合には、複数の加熱コイルの間に配置された発光部を白で点灯させたまま、結合加熱コイルの外周近傍に設けられた発光部のみを赤で点灯させる。
【００２２】
図１１に本発明の実施形態２の誘導加熱調理器による発光部の動作制御のフローチャートを示す。電源キー７ａがオフ状態のときには、発光制御部１１ｂはすべての発光部を消灯させている。使用者により電源キー７ａがオンされると（Ｓ１０１ＡでＹｅｓ）、発光制御部１１ｂはすべての発光部２１〜２４，３１〜３４，４１〜４４，５１〜５４を白で点灯させる（Ｓ１１１）。その後、使用者により加熱キーがオンされると（Ｓ１０１ＢでＹｅｓ）、発光制御部１１ｂは、使用者からの入力に基づいて、複数の加熱コイルによって１つの被加熱物を加熱するか否かを判断する（Ｓ１０２）。具体的には、発光制御部１１ｂは、加熱キー７ｂ，７ｅ，７ｈ（図１）のいずれか１つがオンされたときは、複数の加熱コイルによって１つの被加熱物を加熱すると判定し、加熱キー７ｃ，７ｄ，７ｆ，７ｇ（図１）のいずれか１つがオンされたときは、１つの加熱コイルによって１つの被加熱物を加熱すると判定する。発光制御部１１ｂが１つの加熱コイルによって１つの被加熱物を加熱すると判断すると（Ｓ１０２でＮｏ）、発光制御部１１ｂは加熱を開始する１つの加熱コイルの外周近傍に設けられた４つの発光部を赤で点灯させる（Ｓ１０３Ａ）。具体例を図５に示す。図５は、加熱キー７ｆがオンされた場合の発光部の点灯例を示した図である。赤で発光している部分を斜線で示す。加熱部２上に被加熱物８が載置される。発光制御部１１ｂは、加熱部２の外周近傍の発光部２１〜２４を赤で点灯させ、他の加熱部３，４，５の外周近傍の発光部３１〜３４，４１〜４４，５１〜５４の白での点灯を継続する。
【００２３】
一方、発光制御部１１ｂが複数の加熱コイルによって１つの被加熱物を加熱すると判断すると（Ｓ１０２でＹｅｓ）、発光制御部１１ｂは加熱を開始する結合加熱コイルの外周近傍に設けられた４つの発光部を赤で点灯させる（Ｓ１０４Ａ）。発光制御部１１ｂは、複数の加熱コイルの間に配置された発光部の白での点灯を継続する。具体例を図６に示す。図６は、加熱キー７ｅがオンされた場合の発光部の点灯例を示した図である。赤で発光している部分を斜線で示す。加熱部２，３上にオーバル形の被加熱物８が載置される。発光制御部１１ｂは、結合加熱コイル（加熱部２に対応する加熱コイルと加熱部３に対応する加熱コイルを組み合わせてなる加熱コイル）の外周近傍に設けられた発光部２１，２３，３２，３４のみを点灯させる。発光制御部１１ｂは、加熱部２に対応する加熱コイルと加熱部３に対応する加熱コイルの間に配置された発光部２２，２４，３１，３３及び他の加熱部４，５の外周近傍の発光部４１〜４４，５１〜５４の白での点灯を継続する。なお、加熱部２に対応する加熱コイルと加熱部３に対応する加熱コイルの間に配置された発光部２２，２４，３１，３３は被加熱物８の下に隠れてしまうので、発光制御部１１ｂはこれらの発光部２２，２４，３１，３３を消灯させてもよい。
【００２４】
加熱制御部１１ａは、使用者からの入力に基づいて、加熱コイルに高周波電流を供給するように制御する（Ｓ１０５）。その後、使用者により加熱キーがオフされると（Ｓ１０６でＹｅｓ）、発光制御部１１ｂは、加熱を終了する加熱コイルの発光部を白で点灯させる（Ｓ１０７Ａ）。加熱制御部１１ａは、加熱コイルへの高周波電流の供給を停止する（Ｓ１０８）。その後、使用者により電源キー７ａがオフされると（Ｓ１０９でＹｅｓ）、発光制御部１１ｂはすべての発光部を消灯させる（Ｓ１１０）。
【００２５】
本実施形態の誘導加熱調理器は、電源が投入されるとすべての発光部を白で点灯させ、被加熱物を加熱する際に、動作させる加熱コイルの外周近傍に設けられた発光部を赤で点灯させるが、複数の加熱コイルによって１つの被加熱物を加熱する場合には、複数の加熱コイルの間に配置された発光部を白で点灯させたまま、結合加熱コイルの外周近傍に設けられた発光部のみを赤で点灯させる。これにより、使用者は加熱開始前から被加熱物をどこに載置したらよいか認識しやすくなる。また、被加熱物を加熱する際、複数の加熱部を結合させて使用する場合であっても、結合した加熱部の外周が表示されるので、使用者は被加熱物をどこに載置したらよいか認識しやすくなる。また、使用者が間違って他の加熱キーをオンしてしまった場合でも、トッププレート上に加熱を開始する加熱部が正確に表示されるので、使用者は間違いに気付きやすい。
【００２６】
なお、本実施形態においては、発光制御部１１ｂは、発光部を白と赤で点灯させているが、他の色で点灯させてもよい。また、発光部を３色以上で点灯させてもよい。
【００２７】
なお、本実施形態においては、発光部は色の異なる２つの単色ＬＥＤ１３１，１３２を用いているが、１つの２色ＬＥＤを用いてもよい。
【００２８】
なお、本実施形態のおいては、電源キーがオフされた後、ステップＳ１１０において発光制御部１１ｂがすべての発光部を消灯させている。これに代えて、ステップＳ１１１において発光制御部１１ｂがすべての発光部を白で点灯させてから所定時間経過後、白で点灯している発光部を消灯させてもよい。この場合、所定時間経過前は、図１１のステップＳ１０７Ａにおいて、発光制御部１１ｂは加熱を終了する加熱コイルの発光部を白で点灯させる（ステップ通り行う）。一方、所定時間経過後は、図１１のステップＳ１０７Ａにおいて、発光制御部１１ｂは加熱を終了する加熱コイルの発光部を消灯させる。すなわち、白で点灯させない。これにより、電力を節約でき、且つＬＥＤの経年劣化を抑制し耐久性を向上することができる。
【００２９】
なお、本実施形態においても、実施形態１の変形例１のようにさらに発光部６１〜６６（図７）を設けてもよい。この場合、電源投入時には、発光制御部１１ｂは発光部２１〜２４，３１〜３４，４１〜４４，５１〜５４を白で点灯させ、発光部６１〜６６を点灯させない（図１１のステップＳ１１１）。また、複数の加熱コイルによって１つの被加熱物を加熱するときは、発光制御部１１ｂは加熱を開始する結合加熱コイルの外周近傍に設けられた６つの発光部（発光部６１〜６６のうち加熱に使われる２つの加熱コイルの間にある２つの発光部を含む。）を点灯させる（図１１のステップＳ１０４Ａ）。
【００３０】
なお、本実施形態においても、実施形態１の変形例２のように１つの発光部の長さを円周の１／４にしてもよい（図９参照）。
【００３１】
実施形態３
［誘導加熱調理器の構成］
本実施形態では、複数の加熱コイルによって１つの被加熱物を加熱するように入力されたにもかかわらず、対応する加熱部上に被加熱物が載置されていない場合には、結合加熱コイルの外周近傍に設けられた発光部を点滅させて警告し、これらの加熱コイルにより加熱を開始しない誘導加熱調理器について説明する。
【００３２】
本実施形態による誘導加熱調理器の構成において、図１及び図３は実施形態１と同じであるため説明を省略する。図１２に本発明の実施形態３による誘導加熱調理器の構成を示す。図１では４つの加熱部２，３，４，５を図示したが、図１２では説明の便宜上１つの加熱部２のみを図示する。インバータ回路１０は電源スイッチ１５がオンのとき電源１６から電力を供給される。本実施形態の誘導加熱調理器は、さらにインバータ回路１０への入力電流を検知する入力電流検知部１７と、入力電流検知部１７によって検知された入力電流及びインバータ回路１０から入力された加熱コイルに流れる電流に基づき、被加熱物が載置されているか否かを判定する負荷判定部１８と、を備える。本実施形態による誘導加熱調理器の構成は、入力電流検知部１７及び負荷判定部１８以外は実施形態１のものと同じであるため説明を省略する。
【００３３】
［誘導加熱調理器の動作］
図１３に本発明の実施形態３の誘導加熱調理器による発光部の動作制御のフローチャートを示す。電源キー７ａがオフ状態のときには、発光制御部１１ｂはすべての発光部を消灯させている。使用者により電源キー７ａがオンされ、加熱キーがオンされると（Ｓ１０１でＹｅｓ）、発光制御部１１ｂは、使用者からの入力に基づいて、複数の加熱コイルによって１つの被加熱物を加熱するか否かを判断する（Ｓ１０２）。具体的には、発光制御部１１ｂは、加熱キー７ｂ，７ｅ，７ｈ（図１）のいずれか１つがオンされたときは、複数の加熱コイルによって１つの被加熱物を加熱すると判定し、加熱キー７ｃ，７ｄ，７ｆ，７ｇ（図１）のいずれか１つがオンされたときは、１つの加熱コイルによって１つの被加熱物を加熱すると判定する。
【００３４】
発光制御部１１ｂが１つの加熱コイルによって１つの被加熱物を加熱すると判断すると（Ｓ１０２でＮｏ）、負荷判定部１８は被加熱物８が加熱を開始する加熱部に載置されているか否かを判断する（Ｓ１１２）。具体的には、負荷判定部１８は、インバータ回路１０への入力電流が加熱コイルに流れる電流に対応する値以上の場合は、被加熱物８が加熱を開始する加熱部に載置されていると判断し、インバータ回路１０への入力電流が加熱コイルに流れる電流に対応する値未満の場合は、被加熱物８が加熱を開始する加熱部に載置されていないと判断する。なお、入力電流及び加熱コイルの電流を直接測定する必要は無く、例えば、加熱コイル電流の代わりに加熱コイルの電圧、スイッチング素子などのインバータ回路１０の構成部品の電圧を測定してもよい。すなわち、入力電流及び加熱コイルの電流を間接的に測定しても良い。
【００３５】
負荷判定部１８が被加熱物８が加熱を開始する加熱部に載置されていると判断すると（Ｓ１１２でＹｅｓ）、発光制御部１１ｂは加熱を開始する１つの加熱コイルの外周近傍に設けられた４つの発光部を点灯させる（Ｓ１０３）。次に、加熱制御部１１ａは、使用者からの入力に基づいて、加熱を開始するように指令を受けた加熱コイルに高周波電流を供給するようにインバータ回路１０を制御する（Ｓ１０５）。一方、負荷判定部１８が被加熱物８が加熱を開始する加熱部に載置されていないと判断すると（Ｓ１１２でＮｏ）、発光制御部１１ｂは加熱を開始する１つの加熱コイルの外周近傍に設けられた４つの発光部を点滅させ（Ｓ１１３）、警告表示する。加熱制御部１１ａは、加熱を開始するように指令を受けた加熱コイルに通電しないようにインバータ回路１０を制御する。
【００３６】
一方、発光制御部１１ｂが複数の加熱コイルによって１つの被加熱物を加熱すると判断した場合も（Ｓ１０２でＹｅｓ）、負荷判定部１８は被加熱物８が加熱を開始する複数の加熱部すべてに載置されているか否かを判断する（Ｓ１１２Ａ）。負荷判定部１８が被加熱物８が加熱を開始する複数の加熱部すべてに載置されていると判断すると（Ｓ１１２ＡでＹｅｓ）、発光制御部１１ｂは加熱を開始する結合加熱コイルの外周近傍に設けられた４つの発光部を点灯させる（Ｓ１０４）。次に、加熱制御部１１ａは、使用者からの入力に基づいて、加熱を開始するように指令を受けた複数の加熱コイルに高周波電流を供給するようにインバータ回路１０を制御する（Ｓ１０５Ａ）。一方、負荷判定部１８が加熱を開始する複数の加熱部のうち１つでも被加熱物８が載置されていない加熱部があると判断すると（Ｓ１１２ＡでＮｏ）、発光制御部１１ｂは加熱を開始する結合加熱コイルの外周近傍に設けられた４つの発光部を点滅させ（Ｓ１１３Ａ）、警告表示する。加熱制御部１１ａは、加熱を開始するように指令を受けた複数の加熱コイルに通電しないようにインバータ回路１０を制御する。以降ステップＳ１０６〜ステップＳ１０８は実施形態１と同じであるため説明を省略する。
【００３７】
本実施形態の誘導加熱調理器は、複数の加熱コイルによって１つの被加熱物を加熱するように入力されたにもかかわらず、対応する加熱部上に被加熱物が載置されていない場合には、結合加熱コイルの外周近傍に設けられた発光部を点滅させて警告し、これらの加熱コイルによる加熱を開始しない。これにより、使用者が間違って他の位置に被加熱物を載置してしまった場合でも、トッププレート上に結合した加熱部の外周が警告表示されるので、使用者は間違いに気付きやすい。また、使用者が間違って他の加熱キーをオンしてしまった場合でも、トッププレート上に結合した加熱部の外周が警告表示されるので、使用者は間違いに気付きやすい。さらに、被加熱物が載置されていない加熱コイルには通電しないので安全である。
【００３８】
［変形例３］
なお、本実施形態においては、図１３において負荷判定部１８が加熱を開始する複数の加熱部のうち１つでも被加熱物８が載置されていない加熱部があると判断すると（Ｓ１１２ＡでＮｏ）、発光制御部１１ｂは加熱を開始する結合加熱コイルの外周近傍に設けられた４つの発光部を点滅させ（Ｓ１１３Ａ）、複数の加熱コイルを結合した部分を警告表示し、加熱を開始するように指令を受けた複数の加熱コイルによる加熱を開始しない。この代わりに、負荷判定部１８が加熱を開始する複数の加熱部のうち１つでも被加熱物８が載置されていない加熱部があると判断すると（Ｓ１１２ＡでＮｏ）、発光制御部１１ｂは加熱を開始する結合加熱コイルの外周近傍に設けられた４つの発光部のうち被加熱物８が載置されている側の発光部を点灯させ、被加熱物８が載置されていない側の発光部を点滅させ、加熱制御部１１ａは被加熱物８が載置されている加熱コイルのみ加熱を開始してもよい。具体例を図１４に示す。図１４は、変形例３において加熱キー７ｅがオンされたが、加熱部２にしか被加熱物８が載置されなかった場合の発光部の点灯例を示した図である。発光制御部１１ｂは、被加熱物８が載置されている側の発光部２１，２３を点灯させ、被加熱物８が載置されていない側の発光部３２，３４を点滅させる。加熱制御部１１ａは、被加熱物８が載置されている加熱部２に対応する加熱コイルによる加熱を開始し、被加熱物８が載置されていない加熱部３に対応する加熱コイルによる加熱を開始しない。
【００３９】
これにより、使用者が間違って他の位置に被加熱物を載置してしまった場合でも、トッププレート上に結合した加熱部のうち被加熱物が載置されていない側だけが警告表示されるので、使用者は的確に間違いを把握できる。また、使用者が間違って他の加熱キーをオンしてしまった場合でも、トッププレート上に加熱を開始するように指令を受けた加熱部のうち被加熱物が載置されていない加熱部の方だけが警告表示されるので、使用者は的確に間違いを把握できる。さらに、被加熱物が載置されていない加熱コイルには通電しないので安全であり、被加熱物が載置されている加熱コイルには通電されるので、使用者はそのまま調理を開始することができる。
【００４０】
なお、変形例３において、加熱部２および加熱部３を組み合せて使用する操作をした場合において、加熱制御部１１ａは、被加熱物８が載置されている加熱部２に対応する加熱コイルによる加熱を開始し、被加熱物８が載置されていない加熱部３に対応する加熱コイルによる加熱を開始しないようにしたが、加熱部２および加熱部３ともに加熱を開始しないようにしても良い。このような場合、使用者は１つの加熱部を使って加熱するという意思を持って操作をしたものの、誤操作などにより結果として機器の動作がその意思に反している可能性がある。したがって、加熱部２および加熱部３の加熱をともに停止することで、より安全性を向上させることができ、かつ、使用者には、被加熱物８が載置されている側の発光部２１，２３を点灯させ、被加熱物８が載置されていない側の発光部３２，３４を点滅させることで、異常側がどちらにあるかあるいはどのような異常が生じているのかを認識させることができる。
【００４１】
なお、本実施形態においても、実施形態１の変形例１のようにさらに発光部６１〜６６（図７）を設けてもよい。この場合、複数の加熱コイルによって１つの被加熱物を加熱する場合であって、被加熱物が加熱を開始する複数の加熱部すべてに載置されているときは、発光制御部１１ｂは加熱を開始する結合加熱コイルの外周近傍に設けられた６つの発光部（発光部６１〜６６のうち加熱に使われる２つの加熱コイルの間にある２つの発光部を含む。）を点灯させる（図１３のステップＳ１０４）。また、複数の加熱コイルによって１つの被加熱物を加熱する場合であって、加熱を開始する複数の加熱部のうち１つでも被加熱物８が載置されていない加熱部があるときは、発光制御部１１ｂは加熱を開始する結合加熱コイルの外周近傍に設けられた６つの発光部（発光部６１〜６６のうち加熱に使われる２つの加熱コイルの間にある２つの発光部を含む。）を点滅させる（図１３のステップＳ１１３Ａ）。
【００４２】
なお、本実施形態においても、実施形態１の変形例２のように１つの発光部の長さを円周の１／４にしてもよい（図９参照）。
【００４３】
なお、本実施形態においても、実施形態２のように発光部を２色で点灯させてもよい。  
【００４４】
また、例えば、鉄板等の大きな被加熱物を、隣り合う４つの加熱部２、３、４、５を組み合せ加熱することを指示する加熱キー及びその動作状態を確認するため必要な表示部を別途設け、その加熱キーの操作に応じて、隣り合う４つの加熱部２、３、４、５を組み合せ加熱する構成としてもよい。その際には、図１の発光部２１、３２、４３、５４を点灯させることで、使用者に４つの加熱部２、３、４、５の四隅が点灯し、それらが組み合わされて加熱していることを使用者に正確に認識させることができる。また、コイルの組み合せをする数や組み合せの方法は、上記のものに限定されない。発光部の数や発光部の点灯の組み合せも同様に上記のものに限定されない。
【産業上の利用可能性】
【００４５】
本発明による誘導加熱調理器は、複数の加熱コイルによって１つの被加熱物を加熱する場合であっても、使用者は被加熱物をどこに載置したらよいか認識しやすくなるという効果を有し、一般家庭などで使用される誘導加熱調理器に有用である。
【図面の簡単な説明】
【００４６】
【図１】本発明の実施形態１による誘導加熱調理器の上面図
【図２】本発明の実施形態１による誘導加熱調理器の構成図
【図３】本発明の実施形態１による誘導加熱調理器の発光部の構成図
【図４】本発明の実施形態１の誘導加熱調理器による発光部の動作制御のフローチャート
【図５】本発明の実施形態１において加熱キー７ｆがオンされた場合の発光部の点灯例を示す図
【図６】本発明の実施形態１において加熱キー７ｅがオンされた場合の発光部の点灯例を示す図
【図７】本発明の実施形態１の変形例１による誘導加熱調理器の上面図
【図８】本発明の実施形態１の変形例１において加熱キー７ｅがオンされた場合の発光部の点灯例を示す図
【図９】本発明の実施形態１の変形例２による誘導加熱調理器の上面図および本発明の実施形態１の変形例２において加熱キー７ｅがオンされた場合の発光部の点灯例を示す図
【図１０】本発明の実施形態２による誘導加熱調理器の発光部の構成図
【図１１】本発明の実施形態２の誘導加熱調理器による発光部の動作制御のフローチャート
【図１２】本発明の実施形態３による誘導加熱調理器の構成図
【図１３】本発明の実施形態３の誘導加熱調理器による発光部の動作制御のフローチャート
【図１４】本発明の実施形態３の変形例３において加熱キー７ｅがオンされたが、加熱部２にしか被加熱物が載置されなかった場合の発光部の点灯例を示す図
【符号の説明】
【００４７】
１      トッププレート
２〜５  加熱部
６      表示部
７      操作部
８      被加熱物
９      加熱コイル
１０      インバータ回路
１１      制御部
１１ａ    加熱制御部
１１ｂ    発光制御部
１２      基板
１３，１３ａ，１３ｂ  ＬＥＤ
１４      導光筒
１５      電源スイッチ
１６      電源
１７      入力電流検知部
１８      負荷判定部
２１〜２４，２１ａ〜２４ａ，３１〜３４，３１ａ〜３４ａ，４１〜４４，４１ａ〜４４ａ，５１〜５４，５１ａ〜５４ａ，６１〜６６  発光部
【図１】
0005022276.tif 000002
【図２】
0005022276.tif 000003
【図３】
0005022276.tif 000004
【図４】
0005022276.tif 000005
【図５】
0005022276.tif 000006
【図６】
0005022276.tif 000007
【図７】
0005022276.tif 000008
【図８】
0005022276.tif 000009
【図９】
0005022276.tif 000010
【図１０】
0005022276.tif 000011
【図１１】
0005022276.tif 000012
【図１２】
0005022276.tif 000013
【図１３】
0005022276.tif 000014
【図１４】
0005022276.tif 000015